(57)【要約】      （修正有）【課題】鏡本体の重みによって、鏡本体がスタンドから外れないようにした三面鏡を提供する。【解決手段】鏡本体が主鏡部と両側の副鏡部とから構成され、主鏡部及び副鏡部は合成樹脂製のケースに鏡板を嵌め込んで構成される一方、スタンド上端部にベースが水平軸回りに回転可能に取付けられ、ベースが主鏡部の背面に固定されるようにした卓上三面鏡において、主鏡部１０のケース１０Ａには合成樹脂材料を用いてベース４０及びベース４０に突設された軸受４１が一体的に形成される。さらに、軸受がスタンド３０上端部の取付けブラケット３０Ｂの間に嵌め込まれ、軸受及び取付けブラケットの軸穴に水平軸５０が差し込まれて抜け止めされることによって、鏡本体１００がスタンド上端部に水平軸回りに傾動自在に設けられる。【選択図】図２
0003179710.tif 000002
【実用新案登録請求の範囲】
【請求項１】
鏡本体が主鏡部と両側の副鏡部とから構成され、主鏡部及び副鏡部は合成樹脂製のケースに鏡板を嵌め込んで構成される一方、スタンド上端部にはベースが水平軸回りに回転可能に取付けられ、ベースが主鏡部の背面に固定されるようにした卓上三面鏡において、
上記主鏡部（１０）のケース（１０Ａ）には合成樹脂材料を用いてベース（４０）及びベース（４０）に突設された軸受（４１）が一体的に形成され、該軸受（４１）がスタンド（３０）上端部の取付けブラケット（３０Ｂ）の間に嵌め込まれ、上記軸受（４１）及び取付けブラケット（３０Ｂ）の軸穴に水平軸（５０）が差し込まれて抜け止めされることによって、上記鏡本体（１００）がスタンド（３０）上端部に水平軸（５０）回りに傾動自在に設けられていることを特徴とする卓上三面鏡。
【考案の詳細な説明】
【技術分野】
【０００１】
この考案は卓上三面鏡に関し、特に鏡本体の重みによって鏡本体がスタンドから外れないようにした三面鏡に関する。
【背景技術】
【０００２】
例えば、女性が化粧をする場合、卓上型の三面鏡を利用することがある。この卓上三面鏡では主鏡部の両側に副鏡部を折畳み展開可能に枢支して鏡本体を構成し、鏡本体の背面にスタンドの上端部を水平軸回りに回転可能に枢支し、副鏡部を展開するとともに、鏡本体をスタンドに対して所望の角度に傾けることにより、顔や頭髪の広い範囲を鏡に写せるようになっている。
【０００３】
例えば、スタンドの上端部に水平軸の取付けブラケットを形成する一方、ベースに軸受を一体的に形成し、スタンドの取付けブラケットの間にベースの軸受を嵌め込み、水平軸を差し込んで、ベースをスタンドの上端部を水平軸回りに回転自在に取付け、又ベースを主鏡部の背面に鏡面に対して垂直な軸回りに旋回自在に取付け、両側の副鏡部を主鏡部に対して展開するとともに、鏡本体を所望の角度に傾け、あるいは鏡本体を横長から縦長に旋回できるようにした卓上三面鏡が提案されている（特許文献１）。
【０００４】
ところで、特許文献１記載の卓上三面鏡において、旋回機能のない簡易で低コストの卓上三面鏡が求められている。
【先行技術文献】
【特許文献】
【０００５】
【特許文献１】実用新案登録第３１６０８３７号公報
【考案の開示】
【考案が解決しようとする課題】
【０００６】
しかし、特許文献１記載の卓上三面鏡ではベースを接着剤で主鏡部背面に接着すると、鏡本体の重みでベースが剥がれやすく、ねじで固定すると、製造工程が複雑になってコスト高を招来する。
【０００７】
本考案はかかる問題点に鑑み、鏡本体の重みによって鏡本体がスタンドから外れないようにした卓上三面鏡を提供することを課題とする。
【課題を解決するための手段】
【０００８】
そこで、本考案に係る卓上三面鏡は、鏡本体が主鏡部と両側の副鏡部とから構成され、主鏡部及び副鏡部は合成樹脂製のケースに鏡板を嵌め込んで構成される一方、スタンド上端部にベースが水平軸回りに回転可能に取付けられ、ベースが主鏡部の背面に固定されるようにした卓上三面鏡において、上記主鏡部のケースには合成樹脂材料を用いてベース及びベースに突設された軸受が一体的に形成され、該軸受がスタンド上端部の取付けブラケットの間に嵌め込まれ、上記軸受及び取付けブラケットの軸穴に水平軸が差し込まれて抜け止めされることによって、上記鏡本体がスタンド上端部に傾動自在に設けられていることを特徴とする。
【０００９】
本考案の特徴の１つは合成樹脂材料を用いて、ベース及び軸受を主鏡部のケースと一体に形成するようにした点にある。
【００１０】
これにより、水平軸が抜けない限り、鏡本体の重みによって鏡本体がスタンドから外れることはなく、卓上三面鏡の信頼性を向上できる。
【００１１】
また、ベース及び軸受を主鏡部のケースと一体的に形成しているので、金型を加工しておくだけで、主鏡部のケースの製造時にケース、ベース及び軸受を一体的に形成でき、製造工程が複雑化することがなく、コスト高を招来することもない。
【００１２】
ここで、軸受を主鏡部のケースに直接形成することが考えられる。しかし、その場合には主鏡部ケースの軸受が形成された狭い部位に鏡本体の重みが加わっているので、少しの衝撃が加わったときに、主鏡部ケースが破損するおそれがある。
【００１３】
これに対し、本考案では主鏡部ケースにプレート状のベースを介して軸受を一体的に形成しているので、軸受側からの荷重や衝撃がベースに分散されて主鏡部ケースに加わり、主鏡部ケースが破損するおそれを少なくできる。
【図面の簡単な説明】
【００１４】
【図１】本考案に係る卓上三面鏡の好ましい実施形態を示す正面から見たときの斜視図である。
【図２】上記実施形態を背面から見たときの斜視図である。
【図３】上記実施形態における主鏡部ケースとスタンドの取付け構造を示す分解斜視図である。
【考案を実施するための形態】
【００１５】
以下、本考案を図面に示す具体例に基づいて詳細に説明する。図１ないし図３は本考案に係る卓上三面鏡の好ましい実施形態を示す。図において、卓上三面鏡は鏡本体１００とスタンド３０とから構成され、鏡本体１００は四角形状の主鏡部１０と縦長四角形状の両側の副鏡部２０とから構成され、副鏡部２０は主鏡部１０に折畳み展開可能に枢支されている。
【００１６】
主鏡部１０及び副鏡部２０は合成樹脂製ケース１０Ａ、２０Ａ内に正面から鏡板１０Ｂ、２０Ｂを嵌め込み接着剤によって接着して構成され、又主鏡部ケース１０Ａの背面中央にはベース４０及び軸受４１が一体的に形成されている。
【００１７】
他方、スタンド３０は基台に支柱３０Ａを立設した形状をなし、支柱３０Ａの上端部は二股状の取付けブラケット３０Ｂが形成され、二股状の取付けブラケット３０Ｂの間に主鏡部１０の軸受４１が嵌め込まれ、取付けブラケット３０Ｂ及び軸受４１の軸穴に水平軸５０が差し込まれて抜け止めされることによって主鏡部１０はスタンド３０の支柱３０Ａに水平軸５０回りに傾動可能に取付けられている。
【００１８】
以上のように、合成樹脂材料を用いて、ベース４０及び軸受４１を主鏡部１０のケース１０Ａと一体に形成するようにしたので、水平軸５０が抜けない限り、鏡本体１００の重みによって鏡本体１００がスタンド３０から外れることはなく、卓上三面鏡の信頼性を向上できる。
【００１９】
また、ベース４０及び軸受４１を主鏡部１０のケース１０Ａと一体的に形成しているので、主鏡部ケースを成型する金型を加工しておくだけで、主鏡部ケース１０Ａの製造時にケース１０Ａ、ベース４０及び軸受４１を一体的に形成でき、製造工程が複雑化することがなく、コスト高を招来することもない。
【００２０】
さらに、主鏡部ケース１０Ａにプレート状のベース４０を介して軸受４１を一体的に形成しているので、軸受４１が厚肉の部分に一体的に形成され、軸受４１側からの荷重や衝撃は厚みのあるベース４０に分散されて主鏡部ケース１０Ａに加わり、主鏡部ケース１０Ａが破損するおそれを少なくできる。
【符号の説明】
【００２１】
１０      主鏡部                  １０Ａ    主鏡部ケース
１０Ｂ    主鏡部鏡板              ２０      副鏡部
２０Ａ    副鏡部ケース            ２０Ｂ    副鏡部鏡板
３０      スタンド                ３０Ｂ    取付けブラケット
４０      ベース                  ４１      軸受
５０      水平軸                  １００    鏡本体
【図１】
0003179710.tif 000003
【図２】
0003179710.tif 000004
【図３】
0003179710.tif 000005